(57)【要約】      （修正有）【課題】乗物や住宅のカーテンに使用可能で、カーテンを収納することで、カーテン周りを整理整頓することができるカーテンケースを提供する。【解決手段】半筒状体５１からなるカーテンケースである。半筒状体５１は、長手方向端面および背面が開口したトンネル状を有しており、半筒状体５１の左右いずれかの側壁６１に取付け手段５２が設けられ、対抗する側壁６１に固定手段５３が設けられている。カーテンケース５０の開時において取付け手段５２の中心軸を回転の中心とし回動してカーテン収納部Ａを形成し、カーテンを収納し、閉時において取付け手段５２の中心軸を回転の中心とし回動して閉じる。【選択図】図１
0003186434.tif 000002
【実用新案登録請求の範囲】
【請求項１】
半筒状体からなるカーテンケースであって、該半筒状体は、長手方向端面および背面が開口したトンネル状を有しており、半筒状体の左右いずれかの側壁に取付け手段が設けられ、対抗する側壁に固定手段が設けられており、カーテンケースの開時において取付け手段の中心軸を回転の中心とし回動してカーテン収納部を形成し、カーテンを収納し、閉時において取付け手段の中心軸を回転の中心とし回動して閉じることを特徴とするカーテンケース。
【請求項２】
前記半筒状体の左右いずれかの側壁の内面の側端縁に取付け手段が設けられ、前記対抗する側壁の内面の側端縁に固定手段が設けられており、取付け手段の中心軸に弾性体が備えられており、カーテンケースの開時において取付け手段の中心軸を回転の中心とし回動してカーテン収納部を形成しており、開時において半筒状体が開きカーテンを収納し、閉時において取付け手段の中心軸の弾性体の付勢力によってカーテンケースが閉時に戻り閉じることを特徴とする請求項１に記載のカーテンケース。
【請求項３】
前記半筒状体からなるカーテンケースであって、該カーテンケースの側壁の外面の側端縁に隠し部材が設けられていることを特徴とする請求項１又は請求項２に記載のカーテンケース。
【請求項４】
前記弾性体がばねで、固定手段が磁石で、受け側が、磁石受けであることを特徴とする請求項１〜３のいずれかに記載のカーテンケース。
【請求項５】
前記弾性体がばねで、固定手段が面ファスナーであることを特徴とする請求項１〜３のいずれかに記載のカーテンケース。
【請求項６】
前記半筒状体の横断面形状が、半円形状、楕円形状、又は角形状とすることを特徴とする請求項１〜５のいずれかに記載のカーテンケース。
【請求項７】
前記カーテンケースの外壁が弾力性のある材料で覆われていることを特徴とする請求項１〜６のいずれかに記載のカーテンケース。
【考案の詳細な説明】
【技術分野】
【０００１】
本考案は、たとえば、車のフロントガラスに使うカーテンを止めサイドミラーに掛かって見えなくなるのを解消し危険を回避させ、窓など閉めた時一部が外に出てしまうことなどを回避する。
【背景技術】
【０００２】
従来からあるカーテンを止める特開２００６―１３０１３０号公報ではカーテンの一部を止めるだけなので、カーテンの下のほうは窓の外に出てしまったり、場所によっては、カーテンの下の部分が邪魔になってしまうことがあった。
【先行技術文献】
【特許文献】
【０００３】
【特許文献１】特開２００６―１３０１３０号公報
【特許文献２】実用新案登録第３１４０３８８号
【特許文献３】実用新案登録第３１８２２７７号
【特許文献４】特開２０００−１９８３５１
【特許文献５】特開２００６−１３０９６０
【特許文献６】特開平１０−１６５５１
【特許文献７】特開平１１−２１７０２２
【特許文献８】特開平８−３１０２５１
【特許文献９】特開平９−１９３６５５
【特許文献１０】特開平９−１２３７５２
【考案の概要】
【考案が解決しようとする課題】
【０００４】
特開２００６―１３０１３０号公報ではカーテンの一部を止めるだけなので、カーテンの下のほうは窓の外に出てしまったり、車のフロントガラス用のカーテンの場合は、カーテンの下の部分がサイドミラーに掛かり、カーテンが邪魔になってしまうことがあった、本考案のカーテンケースは、カーテン全体を筒の中に入れ、カーテンケースの中に入っているかぎり、カーテンが焼けてしまうことからも回避できる。
【０００５】
実用新案登録第３１４０３８８号は車のサイドウインドウやリアウィンドウや住宅の小窓といった小さい窓に使うことを目的としているが、本考案のカーテンケースは、市販されているカーテンを使い、カーテンケースの長さが長いのを使えば家庭にも使え、短ければ車にも使える。
【０００６】
実用新案登録第３１８２２７７号は吸盤でガラスに付け、遮光ロールカーテンだが、フロントガラスに使うと真ん中の部分が弛んでしまうことがあり、二枚使うと、左右と真ん中の部分に隙間を作ってしまうが、本考案のカーテンケースは、家庭用カーテンを使いやわらかいカーテンを使うため隙間ができにくい。
【０００７】
特開２０００−１９８３５１は縦に引出すロールカーテンになっているため、大きさが決まってしまい、フロントガラスやサイドウインドウなど左右に隙間ができてしまい遮光という観点からは逸脱していると思われる、本考案はカーテンを使い遮光する、そのため、しっかりと遮光ができる。
【０００８】
特開２００６−１３０９６０は帯を使い、カーテン一枚に付き二箇所で止めなくてはならないため、カーテンがある枚数×２で手間が掛かる上に、車内でカーテンを縦に止められる車を対象にしているうえにカーテンが硬いことが前提になっている、しかし本考案は止めるのが一箇所で、家庭で使うようなやわらかいカーテンでも邪魔にならない構造になっているため使いたいカーテンを使え、しまう場所が車の構造上、斜めにしか収納できなくても問題なく収納できる。
【０００９】
特開平１０−１６５５１は弾性の線材を使いたるみを無くし復元を簡単にしているが、収納をするさい、力を入れて無理やりしまってしまうと、弾性の線材がおかしくなってしまい、隙間ができてしまう、吸盤で付けているとゴムが劣化してフロントガラスに付かなくなってしまうことがあった、本考案はカーテンレールを使い遮光カーテンを付けカーテンこと態を車のデッドスペースに収納してしまうので邪魔にもなることもなく目立つこともなく、収納できる。
【００１０】
特開平１１−２１７０２２は左右のサンバイザーに取付け、引出し遮光するがサンバイザー横にあるサイドミラーの上の隙間から光が入ってしまう、本考案は、カーテンレールとカーテンを使い遮光するため光が入らない。
【００１１】
特開平８−３１０２５１は、車内を目隠しするためのカーテンロールであり、光を遮光しきれず隙間から光が中に入ってしまう、本考案のカーテンケースは、車内に取り付けたカーテンを止めることを目的であり、様々なカーテンに対応しカーテンを止める。
【００１２】
特開平９−１９３６５５と特開平９−１２３７５２はフロントガラスを外から遮光する装置だが、その機能をしまう場所は、トラックやバスといったボンネットが無い車では収納できない、その上、左右に隙間ができてしまうため遮光しきれない欠点があった、しかし、本考案は、カーテンレールを使い遮光カーテンを付けカーテン事態を車のデッドスペースに収納してしまうので邪魔にもなることもなく目立つこともなく、収納できる。
【００１３】
本考案は、カーテンを一部だけ押えるのではなく、カーテンのほぼ全体を押える。
【課題を解決するための手段】
【００１４】
本考案のカーテンケースは、半筒状体からなるカーテンケースであって、該半筒状体は、長手方向端面および背面が開口したトンネル状を有しており、半筒状体の左右いずれかの側壁の内面の側端縁に取付け手段が設けられ、対抗する側壁の内面の側端縁に固定手段が設けたれており、取付け手段の中心軸に弾性体が備えられており、カーテンケースの開時において取付け手段の中心軸を回転の中心とし回動してカーテン収納部を形成しており、開時において半筒状体が開きカーテンを収納し、閉時において取付け手段の中心軸の弾性体の付勢力によってカーテンケースが閉時に戻り閉じることを特徴とする。
係る構成によれば、カーテンの上の方から下の方までを覆い、できるだけカーテンを覆うことにより下の部分を押えつけ、窓の外に出てしまったり、車のサイドミラーを隠すなどのことを防ぐ効果がある。
【００１５】
本考案のカーテンケースは、半筒状体からなるカーテンケースであって、該カーテンケースの側壁の外面の側端縁に隠し部材（図４、図５参照）が設けられていることを特徴とする。
係る構成によれば、隠し部材により、取付け部材を隠す効果があり、外観上優れたものになる。
【００１６】
本考案のカーテンケースは、弾性体がばねで、固定手段が磁石で、受け側が、磁石受けであることを特徴とする。
係る構成によれば、開時において、手で半筒状体をばねの弾性力に抗して、簡単に開くことが可能であり、閉時において、半筒状体を離すと、ばねの弾性力により、半筒状体が閉じることが可能で、しかも固定手段によって、しっかりと固定できるという効果がある。
【００１７】
前記本考案のカーテンケースは、弾性体がばねで、固定手段が面ファスナーであることを特徴とする。
係る構成によれば、開時において、手で半筒状体をばねの弾性力に抗して、簡単に開くことが可能であり、閉時において、半筒状体を離すと、ばねの弾性力により、半筒状体が閉じることが可能で、しかも固定手段によって、しっかりと固定できるという効果がある。
【００１８】
本考案のカーテンケースは、半筒状体の横断面形状（図１の＃１‐＃１方向に沿って矢印方向に見た断面）が、半円形状、楕円形状、又は角形状とすることを特徴とする。
係る構成によれば、カーテンケースの使い勝手、カーテンケースの見栄え、カーテンの収納、にとって好適である。
【００１９】
本考案のカーテンケースは、カーテンケースの外装が弾力性のある材料で覆われていることを特徴とする。
係る構成によれば、カーテンケースにぶつかっても、怪我をすることをできるだけ減らす効果がある。
【００２０】
本考案のカーテンケースは、前記固定手段により、地震や衝撃などがあっても、固定手段がしっかりしているので、不用意に開くしんぱいがない。
【考案の効果】
【００２１】
本考案のカーテンケースは、カーテンを止めるるためのカーテンケースであって、該カーテンケースの外装は、半円形又は楕円形又は角のある多角形で、カーテンの上の方から下の方までを覆い、できるだけカーテンを覆うことにより下の部分を押えつけ、窓の外に出てしまったり、車のサイドミラーを隠すなどのことを防ぎ、隠し部材により、取付け部材を隠す効果があり、外観上優れたものになり、開時において、手で半筒状体をばねの弾性力の抗して、簡単に開くことが可能であり、閉時において、半筒状体を離すと、弾性体により、半筒状体が閉じることが可能で、しかも固定手段によって、しっかりと固定できるという効果があり、カーテンケースの使い勝手、カーテンケースの見栄え、カーテンの収納、にとって好適であり、カーテンケースにぶつかっても、怪我をすることをできるだけ減らす効果があり、固定手段により、地震や衝撃などがあっても、固定手段がしっかりしているので、不用意に開く心配がない。
【図面の簡単な説明】
【００２２】
【図１】図１は本考案のカーテンケースの斜視図である。
【図２】図２は本考案のカーテンケースの（ａ）正面図（ｂ）背面図（ｃ）右面図（ｄ）左面図（ｅ）平面図（ｆ）底面図である。
【図３】図３は本考案のカーテンケースの（ａ）正面から見た斜視図（ｂ）Ｂ部の一部切欠斜視図である。
【図４】図４は、本考案のカーテンケースの閉時における平面図である。
【図５】図５の（ａ）は閉時におけるカーテンケースの平面図である。（ｂ）は開時におけるカーテンケースの平面図である。
【図６】図６は本考案のカーテンケースの第一実施形態の斜視図である。
【図７】図７は本考案のカーテンケースの第二実施形態の斜視図である。
【考案を実施するための形態】
【００２３】
図１は、カーテンケース５０の構造の説明する。
半筒状体５１のカーテンケース５０は、上端面７１と下端面７２と長手方向端面７０は開口しており、半筒状体５１の内面の側端面６２には取付け手段５２又は、それに類似する物を使い固定し、反対側の側壁６１に固定手段５３を取付け、カーテンケース５０を開閉する部分を止める物として、簡単に固定しカーテン収納部Ａを形成する。
【００２４】
図２は、（ａ）カーテンケース５０正面図（ｂ）カーテンケース５０背面図（ｃ）カーテンケース５０右面図（ｄ）カーテンケース５０左面図（ｅ）カーテンケース５０平面図（ｆ）カーテンケース５０底面図。
【００２５】
図３は、（ａ）固定手段５９の正面から見た斜視図（ｂ）Ｂ部の一部切欠斜視図。
取付け手段５２の中心に中心軸Ｊがあり、中心軸Ｊの中にばねＳがある。
【００２６】
図４は、取付け時の平面図である。
本考案の半筒状体５１の側壁６１を壁５７に取付け手段５２をもちいて取付け、反対側の側壁６１の内面の側端縁６２に固定手段５３を取り付ける。
この時、半筒状態５１と壁５７の間に隙間が生じやすいので、取付け手段５２が見えてしまう。
しかし、取付け手段５２を付けた側の外面の側端縁６３に隠し部材Ｚが取付けられているので取付け手段５２を目隠しをすることができる。
取付け手段５２の反対側の半筒状態５１の内面の側端縁６２に固定手段５３が取り付けられている。
前記固定手段５３でしっかりと取り付けられているので、半筒状態５１の中心の空間にカーテン収納部Ａができる。
【００２７】
図５の（ａ）はカーテンケース５０の閉時平面図（ｂ）は、カーテンケース５０の開時平面図である。
カーテンケース５０を壁５７に取り付け、カーテンケース５０と壁５７の隙間ができるので、上述したごとく外面の側端面６３に隠し部材Ｚを付け、取付け手段５２を見えなくし、開時にカーテンケース５０と壁５７に隠し部材Ｚがはさまれても、形を変え開時に影響が無い。
このことは隠し部材Ｚが、塩ビ、ゴムなどの軟質部材からなるためである。
【００２８】
図６は、第一実施形態のカーテンケース５０を説明する。
車内６０でのデッドスペースにカーテンケース５０を固定して、半筒状態５１を入れて留めておくことで、フロントガラス５８を覆うカーテン５４が半筒状態５１であるカーテン収納部Ａに入れることにより、サイドミラー５９にカーテン５４が掛かることがなく安全に運転ができる。
【００２９】
図７は、第二実施形態のカーテンケース５０を説明する。
カーテンケース５０を壁５７に付けることで窓５６を覆うカーテン５４を収納して固定手段５３で留めておくことで、窓を閉めたときカーテン５４の下の方を窓５３にはさむことを防止できる。
【００３０】
窓５３の近くにあるので、カーテンケース５０にカーテン５４を収納することで、日光によるカーテン５４が日焼けをするのことを少しでも防ぐことにより、カーテン５４の耐久性向上にも役立つ。
【００３１】
カーテンケース５０の形は筒状で外装は半円形状又は、楕円状又は、角のある形状の物など、使う場所やデザインによって変えることができる、しかし前記形状に限定されるものではない。
この中で、半筒状体の横断面形状は半円形状、楕円形状、角形状などが用いられる。
これらは、カーテンケースの使い勝手、カーテンケースの見栄え、カーテンの収納、にとって好適である。
【００３２】
カーテンケースの外壁８０を弾力性のある物で覆うことにより、ぶつかってもけがをすることを極力減らす効果がある。
【００３３】
固定具５９は磁石Ｍや、面ファスナーＦ、ローラーキャッチ、ボールキャッチ、オープンキャッチ、マグネットキャッチなどを使用できる、しかしこれらに限定されるものではない。
この中で磁石Ｍと面ファスナーＦは、固定力、使い勝手、見栄えにとって好適である。
【００３４】
取付け手段５２に弾性体ＤであるばねＳを付け、ばねＳの力だけでカーテンケース５０を固定具が無くても止めることができる。
【００３５】
カーテン５４は家に使うカーテン５４を収納する際にも使用可能で、また、車用カーテン５４も使用できる。
【００３６】
半筒状態５１とは、内部を空洞とした円柱、角柱、楕円柱、などを縦軸方向に切断して得られた物でその縦軸の両端部および切断面が開口した形状を示す。
【００３７】
カーテン５４の一部を止めるだけなので、カーテン５４の下のほうは窓５６の外に出てしまったり、場合によっては、カーテン５４がサイドミラー５９を隠してしまうことによりサイドミラー５９で確認ができないことで危険になることを回避でき、様々なカーテン５４を使うことができる。
本考案のカーテンケース５０の側壁６１の端部は、内面の側端縁６２、外面の側端縁６３、側壁木口６４から構成されている。
【産業上の利用可能性】
【００３８】
本考案のカーテンケースは、乗物や住宅のカーテンに使用可能で、カーテンを収納することで、カーテン周りを整理整頓することができ、産業上の利用可能性が大きい。
【符号の説明】
【００３９】
５０    カーテンケース
５１    半筒状体
５２    取付け手段
Ｄ      弾性体
Ｓ      ばね
Ａ      カーテン収納部
５３    固定手段
Ｍ      磁石
Ｕ      磁石受け
Ｆ      面ファスナー
５４    カーテン
５５    カーテンレール
５６    窓
５７    壁
５８    フロントガラス
５９    サイドミラー
６０    車内
６１    側壁
６２    内面の側端縁
６３    外面の側端縁
６４    側壁木口
Ｊ      中心軸
Ｚ      隠し部材
７０    長手方向端面
７１    上端面
７２    下端面
８０    カーテンケースの外壁
【図１】
0003186434.tif 000003
【図２】
0003186434.tif 000004
【図３】
0003186434.tif 000005
【図４】
0003186434.tif 000006
【図５】
0003186434.tif 000007
【図６】
0003186434.tif 000008
【図７】
0003186434.tif 000009